(57)【要約】      （修正有）【課題】装着状態で位置ずれがなくて、防寒性能に優れ、しかもファッション性も豊かな首保温部を備えた編成スヌードを提供する。【解決手段】全体が編成されて、人の頭部と首部とを同時に覆うことのできる首保温部Ｗを備えた編成スヌードＳであって、頂部１が閉塞されて、人の頭部を覆うフード部Ｆと、当該フード部Ｆの開口側に連続して略筒状に形成されて、人の首部から両肩部を覆う首保温部Ｗとから成り、前記フード部Ｆには、人の顔の少なくとも目の部分を開口させる顔面開口部が形成された構成とする。【選択図】図６
0003158562.tif 000002
【実用新案登録請求の範囲】
【請求項１】
全体が編成されて、人の頭部と首部とを同時に覆うことのできる首保温部を備えた編成スヌードであって、
頂部が閉塞されて、人の頭部を覆うフード部と、当該フード部の開口側に連続して略筒状に形成されて、人の首部から両肩部を覆う首保温部とから成り、
前記フード部には、人の顔の少なくとも目の部分を開口させる開口部が形成されていることを特徴とする首保温部を備えた編成スヌード。
【請求項２】
全体を二枚重ねにした状態で、前記首保温部は、当該首保温部の開口側に向けて漸次幅広に形成されて略等脚台形状となっていることを特徴とする請求項１に記載の首保温部を備えた編成スヌード。
【請求項３】
全体を二枚重ねにした状態で、前記首保温部の開口縁は、緩やかな凸曲線状になっていることを特徴とする請求項１又は２に記載の首保温部を備えた編成スヌード。
【考案の詳細な説明】
【技術分野】
【０００１】
本考案は、人の頭部と首部を同時に覆うことのできる首保温部を備えた編成スヌードに関するものである。
【背景技術】
【０００２】
人の頭部を覆うフードと首部を覆う首保温部とを備えた防寒具としては、特許文献１，２に開示のものが知られている。
【０００３】
特許文献１に開示の防寒具は、全体が筒状となっていて、その長手方向の中央部に周方向に沿って切れ目を設けたものであって、頭部と首部を覆った状態で、切れ目の部分を拡開させて、人の目の部分に配置することにより、頭部及び首部の双方を覆ったり、或いは全体を収縮させて首部のみを覆ったり、更には、頭部のみを覆ったりして、用途に応じて複数の使用方法が可能な点が特徴となっている。しかし、特許文献１に開示の防寒具は、頭部のみを覆うことが可能な程度の筒状であるので、収縮させて首部のみを覆った場合には、タートルネック状となって、「ふっくら」とした状態で覆うことができないという欠点がある。
【０００４】
一方、特許文献２に開示の防寒具は、全体が筒状となっていて、二つ折りにした状態で方形又は台形状になったものであって、一端の開口の部分により、人の顔の部分のみを露出させて、頭部及び首部を連続して覆ったり、或いは全体を収縮させることにより、首部のみを覆ったりできるものである。しかし、全体形状が単純な筒状であるために、一端の開口から顔のみを露出させる使用方法では、人の動きに応じて、防寒具の一端である開口の部分が顔又は頭に対してずれ易く、定期的にその位置ずれを直さざるを得ないという欠点がある。
【先行技術文献】
【特許文献】
【０００５】
【特許文献１】特開２００７−２１７８５１号公報
【特許文献２】特開２００７−３１４９２１号公報
【考案の概要】
【考案が解決しようとする課題】
【０００６】
本考案は、装着状態で位置ずれがなくて、防寒性能に優れ、しかもファッション性も豊かな首保温部を備えた編成スヌードの提供を課題としている。
【課題を解決するための手段】
【０００７】
上記課題を解決するための請求項１の考案は、全体が編成されて、人の頭部と首部とを同時に覆うことのできる首保温部を備えた編成スヌードであって、頂部が閉塞されて、人の頭部を覆うフード部と、当該フード部の開口側に連続して略筒状に形成されて、人の首部から両肩部を覆う首保温部とから成り、前記フード部には、人の顔の少なくとも目の部分を開口させる開口部が形成されていることを特徴としている。
【０００８】
請求項１の考案に係る編成スヌードは、全体としては、頭部を覆う側の端部が閉塞された略筒状をなしていて、頭部を覆うフード部に、人の顔の少なくとも目の部分を開口させる開口部が設けられ、首保温部の側に形成された開口からすっぽり被ると、前記開口部から少なくとも目が出た状態で当該頭部がフード部で覆われると共に、当該フード部に接続する首保温部が収縮されて人の首部、及び両肩部が覆われる。そして、全体としての頭部の側の端部は閉塞されていて、頭部はフード部により位置ずれすることなく、安定して覆われるので、人の動きによって、頭部及び首部の双方が覆われた状態でずれることはない。また、人の頭部から首部に至る連続した部分は、顔の部分のみが露出した状態となるために、防寒性に優れると共に、首部、及び両肩部を覆っている首保温部の前側は、胸の部分まで垂れ下げて着用できるので、この着用状態がファッション性に富む。
【０００９】
また、フード部に形成された顔面開口部に頭全体を通して、当該フード部を背部の側に垂らすことにより、全体を環状のショールのようにして使用することも可能である。
【００１０】
また、請求項２の考案は、請求項１の考案において、全体を二枚重ねにした状態で、前記首保温部は、当該首保温部の開口側に向けて漸次幅広に形成されて略等脚台形状となっていることを特徴としている。
【００１１】
請求項２の考案によれば、形状からして首保温部の編地の面積が大きくなることにより、首保温部の余剰部が多くなって、前側の胸の部分に多くの編地を垂らすことができて、防寒機能が高められると共に、ファッション性も一層に高められる。
【００１２】
また、請求項３の考案は、請求項１又は２の考案において、全体を二枚重ねにした状態で、前記首保温部の開口縁は、緩やかな凸曲線状になっていることを特徴としている。
【００１３】
請求項３の考案によっても、首保温部の編地の面積を大きくできるため、請求項２の考案の作用が一層顕著に奏される。
【考案の効果】
【００１４】
本考案に係る編成スヌードによれば、フード部は、人の頭部にすっぽりと被られる構造であると共に、フード部に接続する首保温部は、豊かな量の編地によって、人の首部及び両肩部を覆った状態で、余剰部分を前側に集めて胸の部分まで垂れ下げて環状のショールのようにして使用できるため、本来の防寒性能が高いことは勿論のこと、見た目が良くて、ファッション性に富んでいる。
【図面の簡単な説明】
【００１５】
【図１】顔面開口部２の全体形状が現れるように二枚重ねにした状態の本考案に係る首保温部Ｗを備えた編成スヌードＳの正面図である。
【図２】内部に空間部を設けて全体を立体形状にした状態の本考案に係る首保温部Ｗを備えた編成スヌードＳの斜視図である。
【図３】（ａ），（ｂ）は、それぞれ図１のＸ−Ｘ線及びＹ−Ｙ線の各拡大断面図である。
【図４】顔面開口部２が二つ折りされるように二枚重ねにした状態の首保温部Ｗを備えた編成スヌードＳの正面図である。
【図５】編成スヌードＳの着用途中の斜視図である。
【図６】フード部Ｆを使用した編成スヌードＳの着用時の斜視図である。
【図７】フード部Ｆを使用せずに、ショールのように使用する編成スヌードＳの着用時の斜視図である。
【考案を実施するための形態】
【００１６】
以下、図１ないし図４を参照して、本考案に係る首保温部Ｗを備えた編成スヌードＳについて更に詳細に説明する。図１は、顔面開口部２の全体形状が現れるように二枚重ねにした状態の本考案に係る首保温部Ｗを備えた編成スヌードＳの正面図であり、図２は、内部に空間部を設けて全体を立体形状にした状態の本考案に係る首保温部Ｗを備えた編成スヌードＳの斜視図であり、図３（ａ），（ｂ）は、それぞれ図１のＸ−Ｘ線及びＹ−Ｙ線の各拡大断面図であり、図４は、顔面開口部２が二つ折りされるように二枚重ねにした状態の首保温部Ｗを備えた編成スヌードＳの正面図である。本考案に係る編成スヌードＳは、一端側のみが開口された略筒状の編成品であって、頂部１が閉塞されて、人の頭部を覆うフード部Ｆと、当該フード部Ｆの開口側に連続して略筒状に編成されて、人の首部、及び両肩部を覆う首保温部Ｗとから成る。
【００１７】
フード部Ｆは、後述の顔面開口部２の全体形状が現れるように、全体を二枚重ねにした状態で、頂部１から首保温部Ｗの側に向けて幅が漸次広くなるように編成されて、当該フード部Ｆには、人の顔のほぼ全体を露出させることが可能な顔面開口部２が形成されている。実施例では、顔面開口部２は、各頂点部が大きな丸みを帯びた変則五角形状をなしている。フード部Ｆに接続する首保温部Ｗは、二枚重ねにした状態で、開口側に向けて幅が漸次広くなるような略等脚台形状をなしていると共に、その開口縁３は、緩やかな凸曲線状になっており、この形状が、首保温部Ｗの編地の面積を大きくしており、その結果、首保温部Ｗにより首部、及び両肩部を覆った場合に、余剰部を発生させている。首保温部Ｗの当該余剰部は、後述のように、着用時に胸、及び背部の上部まで垂れ下げることにより、おしゃれ感が醸し出されて、ファッション性が高められる。首保温部Ｗの下端の開口は、着用時に人の頭部を挿入させる挿入開口部４となっている。
【００１８】
ここで、フード部Ｆの大きさは、人の頭部に対応させるために、男性用、及び女性用に限ってはほぼ一定しているが、首保温部Ｗに関しては、その長さＬ（図１参照）に応じて、着用時における余剰部の量に変化が生ずる。即ち、首保温部Ｗの長さＬが長い場合には、首部、及び両肩部を覆った場合に、余剰部が多くなって、当該余剰部を胸、及び肩の上部まで垂れ下げて使用することが可能となる。
【００１９】
本考案に係る編成スヌードＳは、編成糸である「１／７サイズ」のタクテルモール糸を、株式会社島精機製作所製の無縫製形式の横編機を用いて編成したものである。このため、編成されたスヌードＳには、縫製部である縫い目が存在していないので、人の頭部及び首部を覆った場合において、着心地、及びフィット感が良好となる。また、タクテルモール糸は、肌触り感覚が良好であると共に、防寒性能が高いので、スヌードＳの編成糸として好適である。
【００２０】
そして、通常の着用時には、図５及び図６に示されるように、首保温部Ｗの挿入開口部４に人の頭部を挿入して、フード部Ｆにより頭部を覆うと、人の顔面のほぼ全体が当該フード部Ｆの顔面開口部２から出ると共に、首保温部Ｗのフード部Ｆに近い部分が人の首部を覆って、首保温部Ｗにおける残りの部分のうち両側部は、人の両肩部を覆うと共に、前側部及び後側部は、それぞれ人の胸部、及び背部の上部に垂れ下がる。このように、人の頭部を覆うフード部Ｆに、人の首部を含めて、両肩部、胸部の上部、及び背部の上部が、ショールのようにして連続して覆われるので、着用時状態において気品、及びおしゃれ感があると共に、ファッション性も備えている。
【００２１】
しかも、フード部Ｆの頂部１は閉塞されているため、意識的に取り外されない限り、人の動きによってフード部Ｆが取り外されることはないので、着用状態が安定している。
【００２２】
一方、フード部Ｆを使用しない場合には、図７に示されるように、当該フード部Ｆを背部の側に垂れ下げて着用すればよく、これにより全体を環状のショールのようにして使用可能となる。
【００２３】
また、上記実施例では、フード部Ｆに、人の顔の全面が開口可能な顔面開口部２が形成されているが、この開口部は、少なくとも目の部分は開口される必要があるが、必ずしも顔の全面である必要はない。
【符号の説明】
【００２４】
Ｆ：フード部
Ｌ：首保温部の長さ
Ｓ：スヌード
Ｗ：首保温部
１：フード部の頂部
２：顔面開口部（開口部）
３：首保温部の開口縁
４：挿入開口部
【図１】
0003158562.tif 000003
【図２】
0003158562.tif 000004
【図３】
0003158562.tif 000005
【図４】
0003158562.tif 000006
【図５】
0003158562.tif 000007
【図６】
0003158562.tif 000008
【図７】
0003158562.tif 000009